(57)【要約】ハウジング（２）を有するハイブリッドソケット（７）が、切欠きおよび／または貫通路（９）を備える。この切欠きおよび／または貫通路（９）に、電気的および／または光学的コンポーネント、特に光導体（ＰＯＦ）、ミニ同軸ケーブル、電源供給ケーブルまたは制御ケーブル、発光ダイオード、または無線伝送システムのためのコンポーネントを挿入することができる。この切欠きおよび／または貫通路（９）の配置は、これら電気的および／または光学的コンポーネントを、規格仕様のＲＪ４５プラグコネクタに隣接して同時に使用し、汎用型インタフェースが得られるように行われている。
2005529354.tif 000002
【特許請求の範囲】
【請求項１】
規格仕様のＲＪ４５プラグを受ける中空部（４）を備えるハウジング（２）を有するハイブリッドソケット（７）において、
このハウジング（２）が、中空部（４）に隣接するハウジング領域（５）に、電気的および／または光学的コンポーネントを同時に収める手段を備えることを特徴とするハイブリッドソケット。
【請求項２】
請求項１に記載のハイブリッドソケット（７）において、
ハウジング（２）がＳｍａｌｌ  Ｆｏｒｍ  Ｆａｃｔｏｒ（小波形率）ハウジングであることを特徴とするハイブリッドソケット。
【請求項３】
請求項１または２に記載のハイブリッドソケット（７）において、
電気的および／または光学的コンポーネントを収める手段が、ラッチング領域（６）に直接隣接するハウジング領域（５）に位置する切欠きおよび／または貫通路（９）であることを特徴とするハイブリッドソケット。
【請求項４】
請求項１または２に記載のハイブリッドソケット（７）において、
電気的および／または光学的コンポーネントを収める手段が、ラッチング領域（６）に向かい合うハウジング領域（５）に位置する切欠きおよび／または貫通路（９）であることを特徴とするハイブリッドソケット。
【請求項５】
請求項１または２に記載のハイブリッドソケット（７）において、
電気的および／または光学的コンポーネントを収める手段が、中空部（４）の横のハウジング領域（５）に位置する切欠きおよび／または貫通路（９）であることを特徴とするハイブリッドソケット。
【請求項６】
請求項１に記載のハイブリッドソケット（７）とともに使用するハイブリッドプラグ。
【請求項７】
請求項６に記載のハイブリッドプラグにおいて、
規格仕様のＲＪ４５プラグに密着状態で取り付け可能な追加プラグ（４８）を含むことを特徴とするハイブリッドプラグ。
【請求項８】
請求項７に記載のハイブリッドプラグにおいて、
追加プラグ（４８）がＲＪ４５プラグをロックするつめ（４３）を備えることを特徴とするハイブリッドプラグ。
【請求項９】
請求項１に記載のハイブリッドソケット（７）とともに使用するハイブリッドプラグを構成するための追加プラグ（４８）。
【請求項１０】
請求項１に記載のハイブリッドソケット（７）とともに使用するアダプタフレーム（３８）。
【発明の詳細な説明】
【技術分野】
【０００１】
本発明は、請求項１の上位概念のハイブリッドソケット、それに適合しかつ請求項６の上位概念のハイブリッドプラグ、請求項９の上位概念の追加プラグ、および請求項１０の上位概念のアダプタフレームに関する。
【背景技術】
【０００２】
プラグコネクタシステムは、たとえばコンピュータ技術、遠距離通信、画像・音声伝送で使用されている。家庭および事務分野でこの技術の使用が増加することは、さまざまに異なるプラグシステムが素人には思いもよらない多様性を有することになる。したがって、これまで異なる構築が行われていた複数の配線システムまたはプラグシステムを、まとめて敷設する傾向が認められる。最近は通信配線やデータ配線がいわゆる「汎用型建物配線システム」（ＵＧＶ）にまとめられている。このＵＧＶはさらに発達して、事務分野以外（たとえば家庭分野、産業分野）にも利用範囲（たとえばマルチメディア、建築物自動化システム、機器制御システム）を拡大している。この発達を支援するのは、ＩＰ伝送プロトコルの普及と、ＩＥＥＥ  ８０２．３に記載のイーサネット（登録商標）分野における遠隔給電方法の発達である。もう１つの発達は、特に家庭分野におけるデータ帯域幅の拡大と、敷設の簡単な配線システムによるプラスチック光導波管分野の発展に表れている。
【０００３】
したがって異なる種類のケーブル、たとえば銅線と光導波管を並べた状態でそれぞれ連結できるものとして、すでにさまざまな汎用型インタフェースないしハイブリッドプラグコネクタシステムが知られている。この種のハイブリッド結合システムは、たとえば特許文献１に記載されている。このハイブリッド結合システムによって、光導体と銅線とを同時に、かつ互いに独立してそれぞれ連結できる。そのために、その中を光ケーブルだけでなく電気信号伝送用のケーブルをも並べて通すソケットハウジングが提案されている。このハイブリッド結合システムは体積が比較的大きく、規格ＩＳＯ／ＩＥＣ  １１８０１に記載の従来型ＲＪ４５プラグを使用できない。
【０００４】
従来型のＲＪ４５プラグを使用できるだけでなく、光学接点も生じさせることができるハイブリッドソケットは、特許文献２に記載されている。このソケットには光を導くエレメントが設けられているが、このエレメントには、適切な寸法のアダプタを用いて光導体を連結できる。このハイブリッドソケットを用いて電気的結合または光学的結合を生じさせることはできるが、種類の異なる導体システムを同時に用いることはできない。したがってこのハイブリッドソケットによっては、互いに独立した異なるプラグを同時に使用できない。
【０００５】
この欠点を除去しようというのが、特許文献３に記載のプラグコネクタである。このプラグコネクタは、１つのＲＪ４５プラグと１つの光ケーブル対を同時に差し込むことができるソケットを備える。そのためこのソケットは１つの追加のハウジングを備え、このハウジングには、制御ケーブルと電源ケーブルとを通す取り付け穴が設けられている。このハイブリッドソケットは、従来型のＲＪ４５ソケットより外側寸法が大きく、既存のパッチパネルまたはマルチメディアジャックに差し込むには適さない。
【０００６】
要約するならば、周知のハイブリッドプラグシステムはすべて、ハイブリッドプラグに特別な形状を必要とする、すなわちこれらのシステムには既存の従来型プラグを使用できないか、さもなければ指定されたケーブル組合せのためだけの解決法であるかのどちらかである。後者の場合、互いに独立した複数プラグの同時使用はできないか、またはそのハイブリッドソケットは、必要とされる外形寸法が規格（ＩＥＣ  ６０６０３−７）の許容範囲を超え、したがって既存のパッチパネルまたはマルチメディアジャックに使用できない。
【特許文献１】欧州特許第１１０２０９９号明細書
【特許文献２】国際公開第９８／１８０３３号パンフレット
【特許文献３】独国実用新案第２０１１３５０１号明細書
【発明の開示】
【発明が解決しようとする課題】
【０００７】
したがって本発明の課題は、ハイブリッドプラグシステムのための汎用型インタフェースであって、規格仕様によるプラグを用いて、さまざまな用途、特にＲＪ４５プラグのために、電気的ケーブル（たとえば遠隔通信用銅線、信号ケーブル）の結合部を、他の電気的ケーブル（たとえば遮蔽された制御ケーブルまたは電源ケーブル）の結合部、または光導体の規格仕様による結合部と組み合わせることができるようなインタフェースを得ることである。
【０００８】
特に本発明の課題は、既存のパッチパネルまたはマルチメディアジャックに取り付け可能な、つまりその断面外形が規格ＩＥＣ  ６０６０３−７の許容範囲を超えないハイブリッドソケットを得ることである。
【課題を解決するための手段】
【０００９】
本発明はこの課題を次のような汎用型インタフェースにより解決する。すなわち、請求項１の諸特徴を有するハイブリッドソケット、特に国際的に規格化されている「Ｓｍａｌｌ  Ｆｏｒｍ  Ｆａｃｔｏｒ（小波形率）」プラグシステムすなわち「ＳＦＦ」プラグシステムのためとＩＥＣ  ６０６０３−７に記載のＲＪ４５プラグのためのハイブリッドソケットを備え、ラッチング領域の横の段状部中を貫通する中空部（下記では貫通路ともいう）、または適切に配置された切欠きを備えるインタフェースである。以下、ＳＦＦプラグシステムとは、規格ＩＥＣ  ６０６０３−７（１９９６−１１）で定義されているソケットと、それに適合するプラグをいう。
【００１０】
【表１】
2005529354.tif 000003
【００１１】
本発明によるハイブリッドソケットの第１の実施形態は、規格仕様によるＲＪ４５プラグのためにプラグ側の開口部ないし中空部を有するハウジングを備える。このプラグ側中空部のラッチング領域に直接隣り合って段状部があり、本発明はこの段状部に貫通路を設ける。この貫通路はケーブル案内プレートのみぞにつながり、このみぞにはたとえば光導波管を挿入することができる。この実施形態の場合、ケーブル案内プレートに１つの保持プレートを固定することができる。この保持プレートは、一方では取り付けられたケーブルを固定、保護し、他方ではこのデバイス内のハウジング全体をデバイス、ジャックまたはパッチパネルに固定することができる。本発明によるハイブリッドソケットのプラグ側にはプラグホルダが取り付けられ、たとえばラッチエレメントを用いて、ラッチ開口部を設けられた取り付けプレートにこのプラグホルダを固定することができる。
【００１２】
もう１つの実施形態では、ミニ同軸ケーブルまたは給電ケーブルを通すため、このケーブル案内プレートを特別な形状とすることができる。自明のことであるが、適切な連結エレメントまたはケーブル敷設エレメントを、貫通路に設けることができる。
【００１３】
本発明によるハイブリッドソケットの好ましい発展形態および実施形態は、従属請求項２〜５に記載の特徴を有する。
【００１４】
本発明による貫通路によれば、電気的および／または光学的コンポーネント、特にＩＥＥＥ  １３９４に記載するＰＯＦ（Ｐｌａｓｔｉｃ  Ｏｐｔｉｃａｌ  Ｆｉｂｒｅｓ  プラスチック光ファイバ）、ミニ同軸ケーブル、電源供給ケーブルまたは制御ケーブル、光学的エレメント（たとえばモニタリング用発光ダイオード）、または無線伝送システムのためのコンポーネントを、それぞれ独立して取り付けることができる。特に本発明による汎用型インタフェースは、マルチメディア分野、産業分野または（無線の）オフィス分野に使用されているように、周知の配線システムの組合せが可能である。
【００１５】
さらには各貫通路間に間隔があるので、規格ＩＥＥＥ  １３９４に記載の既存の光導波管プラグシステムを使用できる。
【発明を実施するための最良の形態】
【００１６】
下記にさまざまな実施例と図面により本発明をさらに詳しく説明する。
【００１７】
図１ａ〜１ｊは、国際規格ＩＥＣ  ６０６０３−７に対応するソケットのさまざまな実施形態を示す。このソケット１はハウジング２を備え、このハウジングの外形と寸法はそれぞれの要件と使用分野に対応し、特に規格ＩＥＣ  ６０６０３−７によって限定されている。そのため図１ａ、１ｂ、１ｆのハウジング２はデバイス側に接点３を備え、この接点はハウジングから差し込み方向Ａに突出する。それに対して図１ｃ、１ｄ、１ｅのハウジング２のデバイス側接点３は、差し込み方向Ａに直角にハウジング２から突出する。これらハウジング２のプラグ側には、ＲＪ４５プラグを受けるための中空部４が設けられている。この中空部は開口部断面がほぼ四角形で、この断面の長い方の側には、ＲＪ４５プラグの留め具を受けるための追加のみぞが設けられている。このみぞはラッチング領域６を形成し、こうしてハウジング２のラッチング領域６に直接隣接するコーナー領域に段状部５が生じる。
【００１８】
図２は、規格ＩＥＣ  ６０６０３−７に記載するＳＦＦソケット１において、規格仕様による断面の採寸および寸法を示す。指定される数値を次の表に記載した。
【００１９】
【表２】
2005529354.tif 000004
【００２０】
これらのデータから次のことが明らかである。すなわち、ラッチング領域６に隣接するハウジング領域５は、その断面が少なくとも約３×３ｍｍ２であって、追加の貫通路を収めるのに適している。
【００２１】
図３は本発明によるハイブリッドソケット７を示すが、このソケットのハウジング２は、規格仕様によるＲＪ４５プラグを受けるための中空部４をプラグ側に有する。このソケット７の場合、導体はデバイス側で差し込み方向Ａにハウジング２から導き出される。中空部４のラッチング領域６に直接隣接するコーナー領域８は、段状のハウジング領域５を備え、この領域に貫通路９が設けられている。ソケット７をモジュラ式に追加できるのは自明のことである。したがって図３は、ハウジング２のデバイス側に取り付けられたケーブル案内プレート１７を示し、たとえばテンション軽減手段２２がこのプレートに取り付けられている。モジュール保持プレート１０を用いて、ハウジング２をたとえば既存のジャックシステムやパッチシステムに固定できる。貫通路９の寸法は、たとえば光学的プラグ１４と協働可能なものとする。
【００２２】
図４は図３と同じソケット７を示し、このソケットはＲＪ４５プラグを受けるのに適したハウジング２を有する。このハウジング２のプラグ側前面にはプラグホルダ１１が設けられ、このプラグホルダはプラグ案内孔１２とプラグラッチ開口部１３を備える。これらプラグ案内孔１２とプラグラッチ開口部１３によって、光導体を案内して差し込むことができ、プラグ１４とソケット７の接点を固定する。有利な方法としてプラグ１４に、ラッチ用突起を有するプラグ固定スリーブ１５を設け、この突起がプラグラッチ開口部１３と協働するものとする。ここに示すプラグホルダ１１はその他にラッチエレメント１６を備え、このラッチエレメントは取り付けプレートの開口部に作用して、プラグホルダ１１をこの取り付けプレートに正しく位置決め、固定することができる。このプラグホルダ１１のプラグ案内孔１２は互いの間隔と寸法が、ＩＥＥＥ  １３９４に定める光学的プラグシステムの規格を満足するものとする。特にこの配置は既存のＰＯＦプラグを使用でき、プラグに特殊な形状を求めない。
【００２３】
図５の見取図は、本発明によるプラグハウジング２の裏面側を示し、特にハウジング２の裏面に取り付けられたケーブル案内プレート１７の形状を詳細に記載する。デバイス側のケーブル、図示の実施例ではデュプレックスＰＯＦ導線１８をハウジング２に固定するため、ケーブル案内プレート１７には貫通路９に向かってみぞ１９が設けられている。このみぞ１９に、高感度の敏感ＰＯＦ導体１８を意図された状態で敷設、保護することができる。この導体の接点末端、フェルールには好ましくはクリップ２０を固定し、このクリップのジオメトリ（幾何学的形状）は貫通路９裏面出口のジオメトリと密着状態で協働するものとする。このケーブル案内プレート１７にモジュール保持プレート（ここには図示しない）を載せることにより、デュプレックスＰＯＦ導線１８はさらに保持、固定される。
【００２４】
図６は本発明によるソケット７の取り付け状態を示す。この裏面図では、ハウジング２のプラグ側にプラグホルダ１１が配置されている。このプラグホルダ１１を用いて、フェルールまたは光導波管２１を簡単な方法で挿入、位置決め、固定できる。この場合、光導波管２１ないしそのフェルールがそれぞれのプラグ固定スリーブ１５を備えるのか、あるいはＩＥＥＥ  １３９４の規格仕様による共通なプラグ末端を備えるのかは、ささいなことである。自明のことであるが、プラグホルダ１１の底面プレートは切欠きＲを備え、この切欠きはロック解除のため外部からＲＪ４５プラグのラッチ用突起にアクセスできるようにするものである。このプラグホルダ１１はラッチエレメント１６を備え、このラッチエレメントはフロントプレートの固定穴（ここには図示しない）に作用して、プラグホルダ１１を正しく位置決め、固定することができる。ハウジング２に取り付けられたケーブル案内プレート１７の上に、モジュール保持プレート１０が位置する。このモジュール保持プレートは、取り付けられた光導波管１８を固定し、またデバイス、パッチパネル、ジャックの指定された箇所にハウジング２を固定することを可能にする。この配置によって、特にテンション軽減手段２２を設けることが可能となる。
【００２５】
本発明によるソケット７で図７に示すものは、給電ケーブルまたは同軸ケーブル２３を使用するためそれぞれの貫通路９を有する。このソケット７は、図３〜６に記載のソケットとほぼ同一のジオメトリ構成を有する。給電ケーブル２３を通すためプラグホルダ１１を適合させることができ、またこの給電ケーブルに適切な寸法のプラグコネクタ２４を装備することができる。図７は、フロントプレート２５およびそれに設けられた固定穴２６（Ｓｍａｒｔ−Ｈｏｌｅｓ）を示す。ソケット７とプラグホルダ１１の向きをそろえることができるよう、フロントプレート２５に追加の延長部２７を設け、これら延長部の間にソケット７を押し込むことができる。
【００２６】
図８は図７と同一の構成物を示す、分解立体図である。この図は本発明によるソケット７のモジュール式構成を説明する。組み立ての際には、ハウジング２の裏面に、デバイス側の給電プラグまたは同軸プラグ２８を接続する。このプラグ２８も、正しく位置決めされた結合および良好な電気的接点を生成するため、さまざまなエレメントから構成される。給電プラグまたは同軸プラグ２８を固定するため、モジュール保持プレート１０を取り付け、好ましくははめ込む。このようにして給電ケーブルまたは同軸ケーブルと結合されたプラグハウジング２を、ここでフロントプレート開口部の背後に固定できる。この場合好ましくは延長部２７を用いて行う。ラッチエレメント１６および固定穴２６を用いて、プラグホルダ１１をフロントプレート２５に固定できる。プラグホルダ１１によって正しく案内、固定された給電ケーブルまたは同軸ケーブル２３を、このようにして正しく貫通路９に挿入できる。
【００２７】
図９は本発明によるプラグハウジング２を下から見た構成を示す。この場合ケーブル案内プレート１７はさらにみぞ１９を備え、このみぞは同軸ソケット２９を収めるために設けられている。この種の同軸ソケットは周知であり、取り付け前に同軸ケーブル３０と結合される。接続される同軸ケーブル３１はプラグ側でやはり、周知の同軸プラグコネクタ（ＰＩＮ）３２と結合されている。自明のことであるが、この実施形態の場合貫通路９の内部では、誘電体とバネ接点を有する適切な継手が使用される。電気的に欠点のない結合が得られるようにするためである。
【００２８】
図１０はＰＯＦ（ｐｌａｓｔｉｃ  ｏｐｔｉｃａｌ  ｆｉｂｅｒ（プラスチック光ファイバ））ファイバを示すが、このファイバの場合、取り付けが行われる末端領域ではクラッディング３４が除かれている。図１１が示すように、露出したファイバ３３の上にフェルール３５が被せられ、固定される。露出したファイバのうちフェルール３５から突出する部分が、フェルールと同一断面をなすまで研ぎ落とされ、磨かれる。その後図１２に示すように、このフェルールは、本発明ＳＦＦソケットに設けられた受け具に挿入される。図１３、１４は、フェルール３５のソケットハウジング２へのはめ込みと、その正確な位置決めを示す。図１５に示すように、第２のファイバケーブル３６は第１のファイバケーブルと同様に準備、挿入される。図１６、１７は、フェルール３５が確実にハウジング２に保持されるようにする保持クリップ３７を示す。図１８〜２０に示す保持プレート１０はこの保持クリップ３７を固定する。そしてそれだけにとどまらず、たとえばここに示すＲＪ４５ハイブリッドソケットをコンセントまたはパネルに固定するのに用いられる。
【００２９】
図２１が示すアダプタフレーム３８は、規格仕様によるＰＮ−ＰＯＦプラグ３９の位置決めと保持に用いられ、フロントプレート２５に簡単にはめ込むことができる。図２２、２３に示すように、このアダプタフレーム３８は、楔形に延びるつめによってソケット７に遊びなしにはめ込まれ、これにより本発明のＲＪ４５ハイブリッドソケットをＰＮカップリングに変える。ＲＪ４５接点のもう１つの用途として、このアダプタ３８の上部を米国特許第６，４１９，５２７号明細書に記載の分配器に形成する。
【００３０】
図２４と２５は、規格仕様によるＲＪ４５プラグと組合せ可能な追加プラグのもう１つの実施形態におけるハウジング下部４０である。この追加プラグは、米国特許第６，５２０，７９６号明細書に記載するように、ＲＪ４５プラグの座屈防止具と密着状態ではめ合うように形成されている。このハウジング下部４０は、電気的接点対を取り付けるためのものとして形成されている。この接点対のソケット側末端には、適切な寸法のプラグ接点スリーブ４１が設けられ、この接点対のケーブル側末端は、縒り線と結合するためのクリンプ接点Ｋを備える。図２６および２７はハウジング上部４２を示すが、このハウジング上部はハウジング下部４０にはめ込むことができ、したがって２つの接点Ｋを包むことができる。ハウジング下部４０は、ＲＪ４５プラグをロックするためのつめ４３を備え、接触防止装置として用いられる。図２８〜３０は、この追加プラグをＲＪ４５プラグの座屈防止具４４に固定する方法、特にフィルムヒンジ４６を用いてこの座屈防止具に密着状態で取り付ける方法を示す。
【００３１】
この電気的プラグ接点スリーブ４１を収めるため、本発明によるハイブリッドソケット７は、それに対応する寸法のプラグ接点部品４７を装備する。取り付けは、図３４および３５に示したＰＯＦフェルール３５の場合と同様の方法で行う。
【００３２】
図３６および３７は、本発明によるハイブリッドソケット７をＲＪ４５プラグと結合する方法を示す。このプラグの上にはプラグアタッチメント４８（図２４〜３０に記載するもの）が設けられている。
【００３３】
各図に記載する実施形態はすべてＲＪ４５プラグを受けるのに適したハウジング２を備え、そして、貫通路９が、ハウジング領域５（ＲＪ４５プラグを受けるための中空部とＳＦＦソケットの外面との間の領域）に、特にラッチング領域６ないしみぞに直接隣接して設けられている。自明のことであるが、この種のＳＦＦハウジングを用いて構成された汎用型インタフェースには、追加のモジュールを取り付けて、各導体の取り付けを容易にし、ないしはこれら導体をコントロールしながら敷設し、保護、固定することができる。
【００３４】
したがって本発明は、規格ＩＥＣ  ６０６０３−７が指定する断面を超えることなく、異なる種類の配線結合の組合せを許容し、これら異なる種類の配線に用いられる各プラグを、それぞれの有する物理的機能とともに、同時に使用できるようにするものである。
【図面の簡単な説明】
【００３５】
【図１ａ】ＲＪ４５プラグのための国際的規格仕様によるＳＦＦソケットのさまざまな実施形態を示す図である。
【図１ｂ】ＲＪ４５プラグのための国際的規格仕様によるＳＦＦソケットのさまざまな実施形態を示す図である。
【図１ｃ】ＲＪ４５プラグのための国際的規格仕様によるＳＦＦソケットのさまざまな実施形態を示す図である。
【図１ｄ】ＲＪ４５プラグのための国際的規格仕様によるＳＦＦソケットのさまざまな実施形態を示す図である。
【図１ｅ】ＲＪ４５プラグのための国際的規格仕様によるＳＦＦソケットのさまざまな実施形態を示す図である。
【図１ｆ】ＲＪ４５プラグのための国際的規格仕様によるＳＦＦソケットのさまざまな実施形態を示す図である。
【図１ｇ】ＲＪ４５プラグのための国際的規格仕様によるＳＦＦソケットのさまざまな実施形態を示す図である。
【図１ｈ】ＲＪ４５プラグのための国際的規格仕様によるＳＦＦソケットのさまざまな実施形態を示す図である。
【図１ｉ】ＲＪ４５プラグのための国際的規格仕様によるＳＦＦソケットのさまざまな実施形態を示す図である。
【図１ｊ】ＲＪ４５プラグのための国際的規格仕様によるＳＦＦソケットのさまざまな実施形態を示す図である。
【図２】上記の国際的規格仕様によるＲＪ４５ソケットについて、規格の定める採寸を図式的に説明する図である。
【図３】少なくとも１つの追加の光導体のためのソケットを備える、本発明による汎用型インタフェースの立体図である。
【図４】プラグホルダを備える本発明によるインタフェースの立体図である。
【図５】本発明によるソケットを底面側から見た図である。
【図６】プラグホルダと取り付け済みのモジュール保持プレートを備える、本発明によるソケットを底面側から見た図である。
【図７】電気的導体を備える本発明ソケットの見取図である。
【図８】電気的導体を備える本発明ソケットの分解立体図である。
【図９】ミニ同軸ケーブルを備える、本発明によるソケットを下から見た分解立体図である。
【図１０】本発明によるソケットへの光導波管の取り付けを示す図である。
【図１１】本発明によるソケットへの光導波管の取り付けを示す図である。
【図１２】本発明によるソケットへの光導波管の取り付けを示す図である。
【図１３】本発明によるソケットへの光導波管の取り付けを示す図である。
【図１４】本発明によるソケットへの光導波管の取り付けを示す図である。
【図１５】本発明によるソケットへの光導波管の取り付けを示す図である。
【図１６】本発明によるソケットへの光導波管の取り付けを示す図である。
【図１７】本発明によるソケットへの光導波管の取り付けを示す図である。
【図１８】本発明によるソケットへの光導波管の取り付けを示す図である。
【図１９】本発明によるソケットへの光導波管の取り付けを示す図である。
【図２０】本発明によるソケットへの光導波管の取り付けを示す図である。
【図２１】規格仕様によるＰＭ−ＰＯＦプラグを位置決めするためのアダプタフレームの使用を示す図である。
【図２２】規格仕様によるＰＭ−ＰＯＦプラグを位置決めするためのアダプタフレームの使用を示す図である。
【図２３】規格仕様によるＰＭ−ＰＯＦプラグを位置決めするためのアダプタフレームの使用を示す図である。
【図２４】はめ込み可能な追加プラグの構造および取り付けを示す図である。
【図２５】はめ込み可能な追加プラグの構造および取り付けを示す図である。
【図２６】はめ込み可能な追加プラグの構造および取り付けを示す図である。
【図２７】はめ込み可能な追加プラグの構造および取り付けを示す図である。
【図２８】はめ込み可能な追加プラグの構造および取り付けを示す図である。
【図２９】はめ込み可能な追加プラグの構造および取り付けを示す図である。
【図３０】はめ込み可能な追加プラグの構造および取り付けを示す図である。
【図３１】追加プラグに対するソケット側接点の取り付けを示す図である。
【図３２】追加プラグに対するソケット側接点の取り付けを示す図である。
【図３３】追加プラグに対するソケット側接点の取り付けを示す図である。
【図３４】追加プラグに対するソケット側接点の取り付けを示す図である。
【図３５】追加プラグに対するソケット側接点の取り付けを示す図である。
【図３６】本発明による汎用型インタフェースを示す図である。
【図３７】本発明による汎用型インタフェースを示す図である。
【符号の説明】
【００３６】
１  ソケット
２  ハウジング
３  接点
４  中空部
５  段状部、ハウジング領域
６  みぞ、ラッチング領域
７  ハイブリッドソケット
８  コーナー領域
９  貫通路
１０  モジュール保持プレート
１１  プラグホルダ
１２  プラグ案内孔
１３  プラグラッチ開口部
１４  プラグ
１５  プラグ固定スリーブ
１６  ラッチエレメント
１７  ケーブル案内プレート
１８  デュプレックスＰＯＦ導線、光導波管
１９  みぞ
２０  クリップ
２１  フェルール／光導波管
２２  テンション軽減手段
２３  給電／同軸ケーブル
２４  プラグコネクタ
２５  フロントプレート
２６  固定穴
２７  延長部
２８  給電／同軸プラグ
２９  同軸ソケット
３０  同軸ケーブル
３１  同軸ケーブル
３２  同軸プラグコネクタ
３３  露出されたファイバ
３４  クラッディング
３５  フェルール
３６  第２のファイバケーブル
３７  保持クリップ
３８  アダプタフレーム
３９  ＰＮ−ＰＯＦプラグ
４０  ハウジング下部
４１  プラグ接点スリーブ
４２  ハウジング上部
４３  つめ
４４  座屈防止具
４６  フィルムヒンジ
４７  プラグ接点部品
４８  プラグアタッチメント、追加プラグ
Ａ  差し込み方向
Ｋ  クリンプ接点
Ｒ  切欠き
2005529354.tif 000005
2005529354.tif 000006
【図２】
2005529354.tif 000007
【図３】
2005529354.tif 000008
【図４】
2005529354.tif 000009
【図５】
2005529354.tif 000010
【図６】
2005529354.tif 000011
【図７】
2005529354.tif 000012
【図８】
2005529354.tif 000013
【図９】
2005529354.tif 000014
【図１０】
2005529354.tif 000015
【図１１】
2005529354.tif 000016
【図１２】
2005529354.tif 000017
【図１３】
2005529354.tif 000018
【図１４】
2005529354.tif 000019
【図１５】
2005529354.tif 000020
【図１６】
2005529354.tif 000021
【図１７】
2005529354.tif 000022
【図１８】
2005529354.tif 000023
【図１９】
2005529354.tif 000024
【図２０】
2005529354.tif 000025
【図２１】
2005529354.tif 000026
【図２２】
2005529354.tif 000027
【図２３】
2005529354.tif 000028
【図２４】
2005529354.tif 000029
【図２５】
2005529354.tif 000030
【図２６】
2005529354.tif 000031
【図２７】
2005529354.tif 000032
【図２８】
2005529354.tif 000033
【図２９】
2005529354.tif 000034
【図３０】
2005529354.tif 000035
【図３１】
2005529354.tif 000036
【図３２】
2005529354.tif 000037
【図３３】
2005529354.tif 000038
【図３４】
2005529354.tif 000039
【図３５】
2005529354.tif 000040
【図３６】
2005529354.tif 000041
【図３７】
2005529354.tif 000042
【手続補正書】
【提出日】平成16年4月26日(2004.4.26)
【手続補正１】
【補正対象書類名】特許請求の範囲
【補正対象項目名】全文
【補正方法】変更
【補正の内容】
【特許請求の範囲】
【請求項１】
規格仕様のＲＪ４５プラグを受ける中空部（４）を備えるハウジング（２）を有するハイブリッドソケット（７）において、
このハウジング（２）が、種類の異なる配線結合を組み合わせるために、中空部（４）に隣接するハウジング領域（５）に、電気的および／または光学的コンポーネントを同時に収める手段を備えることを特徴とするハイブリッドソケット。
【請求項２】
請求項１に記載のハイブリッドソケット（７）において、
ハウジング（２）がＳｍａｌｌ  Ｆｏｒｍ  Ｆａｃｔｏｒ（小波形率）ハウジングであることを特徴とするハイブリッドソケット。
【請求項３】
請求項１または２に記載のハイブリッドソケット（７）において、
電気的および／または光学的コンポーネントを収める手段が、ラッチング領域（６）に直接隣接するハウジング領域（５）に位置する切欠きおよび／または貫通路（９）であることを特徴とするハイブリッドソケット。
【請求項４】
請求項１または２に記載のハイブリッドソケット（７）において、
電気的および／または光学的コンポーネントを収める手段が、ラッチング領域（６）に向かい合うハウジング領域（５）に位置する切欠きおよび／または貫通路（９）であることを特徴とするハイブリッドソケット。
【請求項５】
請求項１または２に記載のハイブリッドソケット（７）において、
電気的および／または光学的コンポーネントを収める手段が、中空部（４）の横のハウジング領域（５）に位置する切欠きおよび／または貫通路（９）であることを特徴とするハイブリッドソケット。
【請求項６】
請求項１に記載のハイブリッドソケット（７）とともに使用するハイブリッドプラグ。
【請求項７】
請求項６に記載のハイブリッドプラグにおいて、
規格仕様のＲＪ４５プラグに密着状態で取り付け可能な追加プラグ（４８）を含むことを特徴とするハイブリッドプラグ。
【請求項８】
請求項７に記載のハイブリッドプラグにおいて、
追加プラグ（４８）がＲＪ４５プラグをロックするつめ（４３）を備えることを特徴とするハイブリッドプラグ。
【請求項９】
請求項１に記載のハイブリッドソケット（７）とともに使用するハイブリッドプラグを構成するための追加プラグ（４８）。
【請求項１０】
請求項１に記載のハイブリッドソケット（７）とともに使用するアダプタフレーム（３８）。
【国際調査報告】
2005529354.tif 000043
2005529354.tif 000044
2005529354.tif 000045
2005529354.tif 000046
2005529354.tif 000047
2005529354.tif 000048